(57)【特許請求の範囲】
【請求項１】
撮影画面を複数の測光領域に分割して、該測光領域のそれぞれにおける測光値を算出する測光手段と、
撮影画面内に複数の測距領域を設け、各測距領域における被写体までの距離を測定する測距手段と、
前記測距手段の測定結果に基づき、前記複数の測距領域から測距ポイントを決定する測距ポイント決定手段と、
前記測距ポイント決定手段により決定された測距ポイントに基づき、前記測光領域のそれぞれに対する第１の重み付け値を設定する第１の重み付け値設定手段と、
前記測光手段により算出された本発光の前に行われる予備発光時の測光値と発光を行っていないときの測光値とに基づき、前記測光領域のそれぞれに対する第２の重み付け値を設定する第２の重み付け値設定手段と、
前記第１の重み付け値と前記第２の重み付け値とを乗算した重み付け値で重み付けされた前記測光領域のそれぞれにおける測光値に基づき、前記本発光の発光時間を算出する本発光時間算出手段と、を備えることを特徴とする撮像装置。
【請求項２】
撮影画面を複数の測光領域に分割して、該測光領域のそれぞれにおける測光値を算出する測光手段と、
撮影画面内に前記複数の測光領域に対応付けされた複数の測距領域を設け、各測距領域における被写体までの距離を測定する測距手段と、
前記測距手段の測定結果に基づき、前記複数の測距領域から測距ポイントを決定する測距ポイント決定手段と、
前記測距ポイント決定手段により決定された測距ポイントに基づき、前記測光領域のそれぞれに対する第１の重み付け値を設定する第１の重み付け値設定手段と、
前記測光手段により算出された本発光の前に行われる予備発光時の測光値と発光を行っていないときの測光値とに基づき、前記測光領域のそれぞれに対する第２の重み付け値を設定する第２の重み付け値設定手段と、
前記測距ポイント決定手段により測距ポイントとして決定された測距領域に対応した測光領域における測光値が前記決定された測距領域とは異なる測距領域に対応した測光領域における測光値よりも大きくない場合は、前記第１の重み付け値及び前記第２の重み付け値の重み付けする比率を異ならせて加算した重み付け値で重み付けされた前記測光領域のそれぞれにおける測光値に基づき、前記本発光の発光時間を算出する本発光時間算出手段と、を備えることを特徴とする撮像装置。
【請求項３】
前記比率は設定されている撮影モードに応じて異なることを特徴とする請求項２記載の撮像装置。
【請求項４】
撮影画面を複数の測光領域に分割して、該測光領域のそれぞれにおける測光値を算出する測光工程と、
撮影画面内に複数の測距領域を設け、各測距領域における被写体までの距離を測定する測距工程と、
前記測距工程の測定結果に基づき、前記複数の測距領域から測距ポイントを決定する測距ポイント決定工程と、
前記測距ポイント決定工程により決定された測距ポイントに基づき、前記測光領域のそれぞれに対する第１の重み付け値を設定する第１の重み付け値設定工程と、
前記測光工程で算出された本発光の前に行われる予備発光時の測光値と発光を行っていないときの測光値とに基づき、前記測光領域のそれぞれに対する第２の重み付け値を設定する第２の重み付け値設定工程と、
前記第１の重み付け値と前記第２の重み付け値とを乗算した重み付け値で重み付けされた前記測光領域のそれぞれにおける測光値に基づき、前記本発光の発光時間を算出する本発光時間算出工程と、を備えることを特徴とする撮像装置の制御方法。
【請求項５】
撮影画面を複数の測光領域に分割して、該測光領域のそれぞれにおける測光値を算出する測光工程と、
撮影画面内に前記複数の測光領域に対応付けされた複数の測距領域を設け、各測距領域における被写体までの距離を測定する測距工程と、
前記測距工程の測定結果に基づき、前記複数の測距領域から測距ポイントを決定する測距ポイント決定工程と、
前記測距ポイント決定工程により決定された測距ポイントに基づき、前記測光領域のそれぞれに対する第１の重み付け値を設定する第１の重み付け値設定工程と、
前記測光工程により算出された本発光の前に行われる予備発光時の測光値と発光を行っていないときの測光値とに基づき、前記測光領域のそれぞれに対する第２の重み付け値を設定する第２の重み付け値設定工程と、
前記測距ポイント決定工程により測距ポイントとして決定された測距領域に対応した測光領域における測光値が前記決定された測距領域とは異なる測距領域に対応した測光領域における測光値よりも大きくない場合は、前記第１の重み付け値及び前記第２の重み付け値の重み付けする比率を異ならせて加算した重み付け値で重み付けされた前記測光領域のそれぞれにおける測光値に基づき、前記本発光の発光時間を算出する本発光時間算出工程と、を備えることを特徴とする撮像装置の制御方法。
【発明の詳細な説明】
【０００１】
【発明の属する技術分野】
本発明は撮像装置と該撮像装置の制御方法に関し、より詳しくはＣＣＤ等の固体撮像素子に光学像を結像させて画像データを取得する撮像装置と該撮像装置の制御方法に関する。
【０００２】
【従来の技術】
被写体を固体撮像素子に結像させて画像データを取得する撮像装置では、被写界輝度状態に応じて閃光を伴う撮影が行われるが、斯かる閃光を伴う撮影を行う場合、実際の撮影作業の前に予備発光を行い、該予備発光時の測光結果から本発光時の発光条件を求め、該発光条件でもって本発光を行なっている。
【０００３】
そして、この種の撮像装置の中には、撮影画面上に複数の測光領域を設け、該測光エリアから求められる測光結果に応じて測光エリア毎に重み付け係数を乗算し、これにより予備発光の測光結果を評価する技術が既に提案されている（例えば、特開平１０−３１２００９号公報）。
【０００４】
該従来技術では、測距ポイント（合焦ポイント）、又は反射光量ポイント（予備発光の反射光量が最大となるポイント）のいずれかのポイントを本露光のストロボ光量演算を行う領域中心として選出し、斯かる選出された測光領域を中心として各測光領域毎に被写体の倍率に応じた重み付け係数を算出し、本発光時の発光条件を決定している。
【０００５】
【発明が解決しようとする課題】
しかしながら、上記従来の撮像装置では、測距ポイント又は反射光量ポイントのいずれかのポイントを選択して測光領域の中心としているため、測距ポイントと反射光量ポイントとが異なる場合は、測光領域の中心をいずれのポイントに選択したかによって本露光時のストロボ露光量が大きく異なり、このため適正なストロボ露光量で撮像することができなくなる場合があるという問題点があった。
【０００６】
例えば、画面右手前に花瓶を載置したテーブルがあり、画面左奥側に主被写体である人物が居る場合、測光領域の中心を測距ポイントに設定すると、測距ポイントは画面左奥側の人物となり、したがって測光領域の中心は画面左寄りとなる。一方、測光領域の中心を反射光量ポイントに設定すると、ストロボの反射光量は画面右手前の花瓶位置での反射光量が最大となるため、測光領域の中心は画面右寄りとなる。
【０００７】
そして、測距ポイントと反射光量ポイントが異なる被写界画像の場合は、いずれのポイントを測光領域の中心として選出するかにより調光レベルが大きく異なり、このため被写界画像に対し適正なストロボ露光量を得ることができなくなるという問題点があった。
【０００８】
本発明はこのような問題点に鑑みなされたものであって、測距ポイントと反射光量ポイントとが異なる場合であっても、常に適正な調光レベルでもって被写体を撮影することのできる撮像装置と該撮像装置の制御方法を提供することを目的とする。
【０００９】
【課題を解決するための手段】
上記目的を達成するために本発明に係る撮像装置は、撮影画面を複数の測光領域に分割して、該測光領域のそれぞれにおける測光値を算出する測光手段と、撮影画面内に複数の測距領域を設け、各測距領域における被写体までの距離を測定する測距手段と、前記測距手段の測定結果に基づき、前記複数の測距領域から測距ポイントを決定する測距ポイント決定手段と、前記測距ポイント決定手段により決定された測距ポイントに基づき、前記測光領域のそれぞれに対する第１の重み付け値を設定する第１の重み付け値設定手段と、前記測光手段により算出された本発光の前に行われる予備発光時の測光値と発光を行っていないときの測光値とに基づき、前記測光領域のそれぞれに対する第２の重み付け値を設定する第２の重み付け値設定手段と、前記第１の重み付け値と前記第２の重み付け値とを乗算した重み付け値で重み付けされた前記測光領域のそれぞれにおける測光値に基づき、前記本発光の発光時間を算出する本発光時間算出手段と、を備えることを特徴としている。
また、本発明に係る撮像装置は、撮影画面を複数の測光領域に分割して、該測光領域のそれぞれにおける測光値を算出する測光手段と、撮影画面内に前記複数の測光領域に対応付けされた複数の測距領域を設け、各測距領域における被写体までの距離を測定する測距手段と、前記測距手段の測定結果に基づき、前記複数の測距領域から測距ポイントを決定する測距ポイント決定手段と、前記測距ポイント決定手段により決定された測距ポイントに基づき、前記測光領域のそれぞれに対する第１の重み付け値を設定する第１の重み付け値設定手段と、前記測光手段により算出された本発光の前に行われる予備発光時の測光値と発光を行っていないときの測光値とに基づき、前記測光領域のそれぞれに対する第２の重み付け値を設定する第２の重み付け値設定手段と、前記測距ポイント決定手段により測距ポイントとして決定された測距領域に対応した測光領域における測光値が前記決定された測距領域とは異なる測距領域に対応した測光領域における測光値よりも大きくない場合は、前記第１の重み付け値及び前記第２の重み付け値の重み付けする比率を異ならせて加算した重み付け値で重み付けされた前記測光領域のそれぞれにおける測光値に基づき、前記本発光の発光時間を算出する本発光時間算出手段と、を備えることを特徴としている。
【００１０】
また、本発明に係る撮像装置の制御方法は、撮影画面を複数の測光領域に分割して、該測光領域のそれぞれにおける測光値を算出する測光工程と、撮影画面内に複数の測距領域を設け、各測距領域における被写体までの距離を測定する測距工程と、前記測距工程の測定結果に基づき、前記複数の測距領域から測距ポイントを決定する測距ポイント決定工程と、前記測距ポイント決定工程により決定された測距ポイントに基づき、前記測光領域のそれぞれに対する第１の重み付け値を設定する第１の重み付け値設定工程と、前記測光工程で算出された本発光の前に行われる予備発光時の測光値と発光を行っていないときの測光値とに基づき、前記測光領域のそれぞれに対する第２の重み付け値を設定する第２の重み付け値設定工程と、前記第１の重み付け値と前記第２の重み付け値とを乗算した重み付け値で重み付けされた前記測光領域のそれぞれにおける測光値に基づき、前記本発光の発光時間を算出する本発光時間算出工程と、を備えることを特徴としている。
また、本発明に係る撮像装置の制御方法は、撮影画面を複数の測光領域に分割して、該測光領域のそれぞれにおける測光値を算出する測光工程と、撮影画面内に前記複数の測光領域に対応付けされた複数の測距領域を設け、各測距領域における被写体までの距離を測定する測距工程と、前記測距工程の測定結果に基づき、前記複数の測距領域から測距ポイントを決定する測距ポイント決定工程と、前記測距ポイント決定工程により決定された測距ポイントに基づき、前記測光領域のそれぞれに対する第１の重み付け値を設定する第１の重み付け値設定工程と、前記測光工程により算出された本発光の前に行われる予備発光時の測光値と発光を行っていないときの測光値とに基づき、前記測光領域のそれぞれに対する第２の重み付け値を設定する第２の重み付け値設定工程と、前記測距ポイント決定工程により測距ポイントとして決定された測距領域に対応した測光領域における測光値が前記決定された測距領域とは異なる測距領域に対応した測光領域における測光値よりも大きくない場合は、前記第１の重み付け値及び前記第２の重み付け値の重み付けする比率を異ならせて加算した重み付け値で重み付けされた前記測光領域のそれぞれにおける測光値に基づき、前記本発光の発光時間を算出する本発光時間算出工程と、を備えることを特徴としている。
【００１１】
尚、本発明のその他の特徴は下記の発明の実施の形態の記載より明らかとなろう。
【００１２】
【発明の実施の形態】
以下、本発明の実施の形態を図面に基づいて詳説する。
【００１３】
図１は本発明に係る撮像装置の一実施の形態を示すブロック構成図である。
【００１４】
同図において、１はレンズをプロテクトするためのバリア、 ２は光学的な被写体を固体撮像素子４に結像させるレンズ、３はレンズ２を通過する光量を制御するための絞り、４はレンズ２を介して供給された被写体を電気信号に変換するＣＣＤ等の固体撮像素子である。
【００１５】
撮像処理部５は固体撮像素子４より出力される画像信号に各種の補正、クランプ、ゲイン設定等を行い、アナログ電気信号をデジタル電気信号に変換する。
【００１６】
信号処理部６は撮像処理部５から入力された画像データに各種の処理を施す。メモリ部７は信号処理部６で信号処理された画像データを一時的に格納する。また、記録媒体８は半導体メモリ等で構成されると共に着脱可能とされ、画像データの記録又は読み出しを行う。
【００１７】
タイミング発生部９は、各種タイミングパルスを固体撮像素子４と撮像処理部５に出力し、固体撮像素子４及び撮像処理部５の動作を制御する。光学ブロック駆動部１０は、バリア１、レンズ２および絞り３を駆動するためのパルス信号を出力する。
【００１８】
レリーズスイッチ１７は、第１のストローク（所謂半押状態）を有する第１のスイッチ（ＳＷ１）１７ａと第２のストローク（所謂全押状態）を有する第２のスイッチ（ＳＷ２）１７ｂとで構成されている。
【００１９】
尚、１１は画像信号を表示するための表示部であり、該表示部１１は表示制御部１２により制御される。１３は外部コンピュータ等と通信するためのインターフェース部、１４はストロボ発光部、１５は外光（自然光）が暗いとき又は被写界画像にコントラストが少ない場合に補助光を発光する補助光発光部、１６はメインスイッチである。
【００２０】
そして、システム制御部１８は上記各構成要素に接続されて各種演算を行い装置全体の制御を司る。
【００２１】
図２は上記撮像装置の制御手順を示すフローチャートであある。
【００２２】
まず、メインスイッチ１６の投入によりメイン電源がオンし、光学ブロック駆動部１０が駆動する。そしてこれによりバリア１が開き、さらにレンズ２のレンズ位置が初期位置に移動し、レリーズスイッチ１７の第１のスイッチ１７ａのオン待機状態となる。
【００２３】
そして、ステップＳ１で第１のスイッチ１７ａをオンすると、再びレンズ２のレンズ位置が所定位置まで移動し、撮像処理部５やタイミング発生部９等の撮像系回路の電源がオンする。
【００２４】
続くステップＳ２では、システム制御部１８が光学ブロック駆動部１０を介して絞り３を開放し、次いでレンズ２を透過した光学像は固体撮像素子４により電気信号に変換され、該電気信号に変換された画像データは撮像処理部５で所定の撮像処理が施された後、信号処理部６に供給され、この後システム制御１８に入力される。そして、ステップＳ３ではレンズ２を透過した光学像の測光値を演算し、測光結果を記憶する。
【００２５】
次に、ステップＳ４ではステップＳ３で演算された測光結果の輝度データをチェックし、ストロボ発光が必要か否かを判断する。具体的には測光値が所定値以下となってストロボ発光が必要な暗さであるか否か、逆光か否か、或いはストロボ発光部１４の操作部が押下されているか否かを判断する。
【００２６】
そして、ストロボ発光が不要と判断された場合はそのままステップＳ６に進む一方、ストロボ発光が必要と判断された場合はステップＳ５に進んで撮像装置をストロボ発光モードに設定すると共に、ストロボ発光部１４が発光する際のエネルギを蓄積すべくコンデンサに充電を行い、ステップＳ６に進む。
【００２７】
ステップＳ６では、露光条件設定マップを検索し、絞り（ＡＶ）、シャッタスピード（ＴＶ）、及びゲイン（Ｇ）を算出して露光条件を設定する。
【００２８】
図４は露光条件設定マップであり、図中、縦軸がシャッタスピードＴＶ、横軸が絞りＡＶ、斜軸が輝度ＥＶ（ＢＶ）（ＢＶ＝ＥＶ−Ｚ；Ｚは感度）を示している。
【００２９】
また、該露光条件設定マップにはゲイン線Ｇがマッピングされており、絞りＡＶが３．００で且つ輝度ＥＶが８．００を下回る場合はゲイン調整を行うことにより、暗中時でも所定のシャッタスピードを確保して撮影できるようにされている。
【００３０】
そして、例えば、測光結果により輝度ＥＶが１２．０の場合は、絞りＡＶを「６．００」に設定したときは、露光条件設定マップを検索することにより、シャッタスピードＴＶは「６」、ゲインＧｎは「０」に夫々設定され、絞りＡＶを「３．００」に設定したときはシャッタスピードＴＶは「９」、ゲインＧｎは「０」に夫々設定される。
【００３１】
次いで、ステップＳ７ではストロボ発光モードに設定されているか否か、又は被写体のコントラスト差が小さいか否かを判断し、その答が否定（Ｎｏ）の場合はそのままステップＳ９に進む一方、その答が肯定（Ｙｅｓ）の場合はステップＳ８に進み、補助光発光部１５から補助光を発光した後、ステップＳ９に進む。
【００３２】
そして、ステップＳ９（測距手段）では信号処理部６からの出力信号に基づき、高周波成分を取り出し被写体までの距離を演算する。そしてその後、ステップＳ１０ではレンズ２を制御して合焦か否かを判断し、合焦していないと判断したときは、ステップＳ７に戻り上述の処理を行う。
【００３３】
ステップＳ１０の答が肯定（Ｙｅｓ）の場合、すなわち合焦した場合は、ステップＳ１１に進み、ストロボ発光モードに設定されているか否かを判断する。そして、ストロボ発光モードに設定されていない場合はストロボ発光は不要と判断してステップＳ１２に進み、第２のスイッチ１７ｂをオンした後、ステップＳ１３で本露光を行ってステップＳ１５に進む。尚、本露光が終了すると、撮像データはシステム制御部１８の制御下、メモリ部７に格納され、その後、メモリ部７に蓄積されたデータは、システム制御部１８の制御下、再度信号処理部６で圧縮処理された後、記録媒体８に記録される。
【００３４】
一方、ステップＳ５でストロボ発光モードに設定されている場合はステップＳ１１の答は肯定（Ｙｅｓ）となってステップＳ１４に進み、ストロボシーケンス処理を実行した後、ステップＳ１５に進む。
【００３５】
ステップＳ１５では第２のスイッチ１７ｂがオンしているか否かを判断し、第２のスイッチ１７ｂが押下されてオンされ続けている場合はステップＳ１５の答は肯定（Ｙｅｓ）となってシステム制御部１８及び表示制御部１２の制御下、撮影した画像を表示部１１に表示する（ステップＳ１６）。
【００３６】
一方、第２のスイッチ１７ｂがオフするとステップＳ１５の答が否定（Ｎｏ）となり、撮影を終了する。
【００３７】
図３はステップＳ１４で実行されるストロボシーケンスの処理手順を示すフローチャート（第１の実施の形態）である。
【００３８】
ステップＳ２１ではレリーズスイッチ１７の第２のスイッチ１７ｂをオンし、続くステップＳ２２ではステップＳ９で算出した測距情報（測定結果）に基づき、絞りＡＶ、を数式（１）により、ゲインＧｎを数式（２）により、シャッタスピードＴＶを数式（３）により夫々算出し、露光条件を設定する。
【００３９】
Ｌ≧Ａ１の場合、ＡＶ＝３．００
Ｌ＜Ａ１の場合、ＡＶ＝６．００      …（１）
Ｇｎ＝２×log2（Ｌ／Ｄ）＋Ｙ  …（２）
ＴＶ＝ＥＶ＋Ｇｎ−ＡＶ    …（３）
ここで、Ｌは測距値、Ａ１は所定値、Ｄ、Ｙはゲイン制御量である。
【００４０】
すなわち、絞りＡＶ及びＧｎは、後述する予備発光が常に一定の光量で発光した場合に、被写体との距離や反射率により変化する反射光が固体撮像素子４に適度な光量で入射するように制御するものであり、絞りＡＶは、測距値Ｌが所定距離Ａ１以上の場合は「３．００」に設定され、所定距離Ａ１未満の場合は「６．００」に設定される。そして、ゲインＧｎは絞りＡＶの差、すなわち「６．００」と「３．００」の差を補間するように設定される。
【００４１】
尚、所定距離Ａ１及びゲイン制御量Ｄ、Ｙは、予備発光の発光量が一定であれば変える必要はないが、被写体からの反射光が固体撮像素子４により一層適切な光量で入射すべく撮影モードに応じて変更可能としてもよい。例えば、至近距離で撮影するマクロモード、反射率の高い用紙等を撮影する書類モード、逆光時に強制的に発光する日昼モード、コントラストで撮影の明暗を表現する白黒モードなどにより適宜切り替えるようにしてもよく、またこれら各モードを組み合わせて更に細かいモード設定を可能とするようにするのも好ましく、このようにして予備発光による測光結果を精度良く得ることが可能となる。例えば、比較的暗い状況の場合、ステップＳ３における測光結果により設定される絞りＡＶは「３．００」に設定される。この状態で被写体が近距離にあるときに予備発光を行った場合、固体撮像素子４にはダイナミックレンジを超えるような反射光が得られることがある。しかしながら、ステップＳ９における測距情報により絞りＡＶを「６．００」に設定し、絞りＡＶで光量を制限し過ぎた量をゲインＧｎで調整することにより適度な光量を固体撮像素子４に入射させることが可能となり、正確な測光結果を得ることができる。
【００４２】
次に、ステップＳ２３（第１の測光手段）ではストロボ発光を行うことなく外光のみを測光して外光測光値Ｄ１（ｎ）を算出し、その算出結果を記憶する。
【００４３】
すなわち、本実施の形態では、図５（ａ）に示すように、撮影画面が６４個（＝８×８）の測光枠に分割されており、各測光枠毎に測光値を算出する。尚、この撮影画面はｍ×ｎ（但し、ｍ、ｎ≦８）の個数に分割することにより、任意個数の測光枠を得ることができ、或いは、図５（ｂ）に示すように、撮影画面２０内の任意の位置に設定するようにしてもよい。
【００４４】
次いで、ステップＳ２４で予備発光を行い、続くステップＳ２５（第２の測光手段）では図５（ａ）で示した各測光枠毎にストロボ反射光を測光して外光と被写体からの反射光が混在したストロボ測光値Ｄ２（ｎ）を算出し、算出結果を記憶する。
【００４５】
次に、ステップＳ２６（第１の重み付け値設定手段）に進み、測距情報に基づいて第１の重み付け値Ｗ１（ｎ）を算出する。
【００４６】
すなわち、本実施の形態では、図５（ａ）に示すように、多数の測光枠の略中央部に３個の測距枠Ａ、Ｂ、Ｃが設けられており、測距枠Ａ、Ｂ、Ｃの内、いずれの測距枠が測距ポイント（合焦ポイント）か否かをステップＳ９の測距情報に基づいて決定する。
【００４７】
そして、図６（ａ）〜図６（ｃ）及び図７（ａ）〜図７（ｄ）に示すように、各測距枠には測距ポイントに応じて４種類の重み付け値（１、２、４、６）が割り当てられており、図６（ａ）〜図６（ｃ）及び図７（ａ）〜図７（ｄ）に示す重み付けパターンの中から測距ポイントに合致した測距枠の重み付けパターンを選択する。
【００４８】
すなわち、図６（ａ）は測距ポイントが測距枠Ａのときの重み付けパターンであり、図６（ｂ）は測距ポイントが測距枠Ｂのときの重み付けパターンであり、図６（ｃ）は測距ポイントが測距枠Ｃのときの重み付けパターンである。また、図７（ａ）は測距ポイントが測距枠Ａ、Ｂのときの重み付けパターンであり、図７（ｂ）は測距ポイントが測距枠Ｂ、Ｃのときの重み付けパターンであり、図７（ｃ）は測距ポイントが測距枠Ａ、Ｃのときの重み付けパターンであり、図７（ｄ）は測距ポイントが測距枠Ａ、Ｂ、Ｃのときの重み付けパターンである。したがって、例えば、ステップＳ９の測距情報により測距ポイントが測距枠Ａと判断された場合は、図６（ａ）の重み付けパターンが選択され、測距ポイントが測距枠Ｂと判断された場合は、図６（ｂ）の重み付けパターンが選択される。
【００４９】
次に、ステップＳ２７（第２の重み付け値設定手段）では、数式（４）に示すように、ストロボ測光値Ｄ２（ｎ）から外光測光値Ｄ１（ｎ）を減算して第２の重み付け値Ｗ２（ｎ）を算出する。
【００５０】
Ｗ２（ｎ）＝Ｄ２（ｎ）−Ｄ１（ｎ）    … (４)
この数式（４）から明らかなようにストロボ反射光量が多いほど第２の重み付け値Ｗ２（ｎ）は大きくなり、これにより主被写体を重視した重み付け値を設定することが可能となる。
【００５１】
また、本実施の形態では、数式（５）又は数式（６）が成立するときは、原則的には第２の重み付け値Ｗ２（ｎ）を「０」に設定している。
【００５２】
Ｄ２（ｎ）−Ｄ１（ｎ）≦Ｋ１  …（５）
Ｄ２（ｎ）≧Ｋ２  …（６）
ここで、Ｋ１、Ｋ２は所定値である。
【００５３】
すなわち、数式（５）よりストロボ反射光量が所定値Ｋ１より小さい場合は、当該測光枠には被写体が存在しないと判断し、また、数式（６）よりストロボ測光値Ｄ２（ｎ）が所定値Ｋ２以上のときは被写体は正反射物であると判断し、第２の重み付け値Ｗ２（ｎ）を「０」として当該測光枠の測光値が輝度に事実上反映しないようにしている。但し、第２の重み付け値Ｗ２（ｎ）が「０」となる測光枠の個数が全測光枠の総数の５０％を超える場合、数式（４）の算出値を第２の重み付け値に設定している。
【００５４】
次に、ステップＳ２８では、本露光時の絞りＡＶ、ゲインＧｎ、シャッタースピードＴＶを算出し、露光条件を設定する。具体的には、絞りＡＶは、通常はステップＳ６で算出された絞り値に設定する。但し、ステップＳ９で得られた測距情報が所定値Ａ２以下の場合は絞りＡＶを強制的に「６．００」に設定する。また、ゲインＧｎは「０」に設定し、シャッタースピードＴＶは数式(３)から算出する。
【００５５】
次いで、ステップＳ２９（輝度差算出手段）では輝度差ΔＥＶを算出する。
【００５６】
すなわち、まず、数式（７）に基づき、各測光枠における輝度ＥＶｎの適正輝度レベルからの偏差、すなわち測光枠輝度差ΔＥＶｎを算出する。
【００５７】
【数１】
0004416272.tif 000002
ここで、第１の補正値αは、図８に示すように、輝度ＢＶに応じて設定され、外光の明るさを補正する。第２の補正値Ｓは発光量を微調整する場合等に適宜所定値に設定される。例えば、撮影者がストロボ光を＋０.２段明るくして発光させたい場合は、ストロボ発光部１４の操作部を操作してＳ＝０.２段と設定することにより発光量の微調整を行うことができる。
【００５８】
また、βはステップＳ２２で設定された絞りＡＶとステップＳ２８で設定された絞りＡＶの絞り差、及びステップＳ２２で算出されたゲインＧｎとステップＳ２８で算出されたゲイン差を夫々加算した加算値を示し、γはステップＳ２２で算出されたシャッタスピードＴＶとステップＳ２８で算出されたシャッタスピードＴＶのシャッタスピード差、及び上述した絞り差、ゲイン差を夫々加算した加算値を示す。
【００５９】
そして、ストロボ測光値Ｄ２（ｎ）はストロボ光と外光が混合したものであるため、ストロボ測光値Ｄ２（ｎ）から外光のみの外光測光値Ｄ１（ｎ）を減算することにより、予備発光時のストロボ光のみの正確な反射光量を得ている。
【００６０】
また、外光の明るさにより露光時にストロボ光を必要とするレベルは変化するため、基準値Ｒｅｆに第１の補正値αを乗算した値から外光測光値Ｄ１（ｎ）に前記γ値を乗算した値を減算することにより外光分を除去し、これにより必要なストロボ光を高精度に算出している。
【００６１】
このようにして測光枠輝度差ΔＥＶｎを算出した後、数式（８）に基づき最終的な輝度差△ＥＶを算出する。
【００６２】
【数２】
0004416272.tif 000003
すなわち、数式(８)に示すように、測距情報からの第１の重み付け値Ｗ１（ｎ）と第２の重み付け値Ｗ２（ｎ）とを乗算した値を各測光枠の最終的な重み付け値Ｗとすることにより、主被写体の調光精度をより一層向上させている。例えば人物像を撮影する場合、ストロボの反射光のみの重み付けでは、主被写体が着ている服の反射率や背景の反射率に調光精度の影響を受けるが、これに測距情報からの測距ポイントの情報を加味すると主被写体の位置が撮影領域のどの位置かを判別することができ、そのポイントを中心とした重み付け値を乗算することにより主被写体を強調できる。すなわち、このように２種類の重み付け値（第１の重み付け値Ｗ１（ｎ）、第２の重み付け値Ｗ２（ｎ））を使用することにより主被写体の着ている服の反射率や背景の反射率の影響を受けにくい高精度な所望の調光を行うことができる。
【００６３】
次に、ステップＳ３０では、ステップＳ２８で算出された絞りＡＶが「３．００」で且つ輝度差ΔＥＶが所定最小値ＥＶminより小さいか否かを判断し、その答が否定（Ｎｏ）の場合はステップＳ３２に進む一方、その答が肯定（Ｙｅｓ）の場合は絞りを変更してステップＳ２８に戻る。
【００６４】
すなわち、図９は輝度差ΔＥＶと発光時間ｔとの関係を示したテーブルであって、斯かる輝度差ΔＥＶの範囲内で発光時間ｔの設定がなされるため、輝度差ΔＥＶが図９に示す所定範囲（−３．５０〜２．７５）内に入らないとき、すなわち輝度差ΔＥＶが「−３．５０」以下のときはステップＳ３１で、絞りＡＶを「６．００」の小絞り側に変更し、ステップＳ２８に戻って再度露出条件を設定し、露出オーバとなるのを回避する。
【００６５】
そして、ステップＳ３０の答が否定（Ｎｏ）の場合はステップＳ３２で輝度差ΔＥＶが所定最大値ＥＶmax、すなわち「２．７５」より大きいか否かを判断する。そして、その答が肯定（Ｙｅｓ）のときはステップＳ３３に進み、最大値を超えた分だけゲインＧｎを変化させてステップＳ２８に戻り、再度本露光の条件を設定し直し、本露光時にストロボ光が被写体に到達せずに露出アンダーとなるのを防止する。
【００６６】
次に、輝度差ΔＥＶは図９に示すテーブルの範囲内に入っている場合はステップＳ３４（本発光時間算出手段）に進んでテーブルの検索処理を行い、補間法を使用して輝度差ΔＥＶに応じた発光時間ｔを算出する。
【００６７】
そしてこの後、ステップＳ３５では露光条件、すなわち絞りＡＶ、シャッタースピードＴＶ及びゲインＧｎをステップＳ２８で算出した値に設定し、ステップＳ３６で本露光を開始する。すなわち、システム制御部１８からストロボ発光部１５にストロボトリガパルスが送られ、続くステップＳ３７で該ストロボトリガパルスに同期してストロボ発光部１５は本発光を開始し、ステップＳ３４で算出した発光時間が経過すると、その瞬間に発光を停止、本露光が終了してメインルーチンに戻る（図２）。
【００６８】
図１０は本実施の形態の制御タイミングを示すタイミングチャートである。
【００６９】
まず、図１０（ａ）に示すように、レリーズスイッチ１７の第１のスイッチ１７ａ（ＳＷ１）がオンすると(ｔ１)、図１０（ｃ）に示すように、光学ブロック駆動部１０が駆動してレンズ制御を行ない、次いでレンズ２のレンズ位置を所定位置まで駆動し(t２)、さらに撮像処理部５やタイミング発生部９など撮像系回路の電源をオンする。次いで、図１０（ｄ）に示すように、絞り３を開放にし(t３)、固体撮像素子４からの画像データに基づいて被写体からの反射光量を演算する。そして、その結果、被写界が暗いと判断した場合は図１０（ｅ）に示すように、時間ｔ４から時間ｔ５までの期間Ｔの間、ストロボ発光部１４の充電を行い、さらに絞り３を制御する(ｔ６)。
【００７０】
次に、前記画像データに基づいて被写体までの距離の測定し、合焦するまでレンズを適宜駆動させ（ｔ８）、測距を行う。この場合、被写体までの測距を行う際に周辺が暗いと判断したときや被写体のコントラストが一様なときには、補助光発光部１５により補助光を発光しながら(t７)、レンズを駆動する。
【００７１】
次いで、合焦後、レリーズスイッチ１７の第２のスイッチ１７ｂをオンし(ｔ９)、測距情報より求めた絞り値に絞りを制御する(t１０)。次に、予備発光の前に露光を行なって外光測光値Ｄ１（ｎ）を算出し、続いてシステム制御部１８からストロボ発光部１４にストロボトリガパルスが送られると共に、ストロボ発光部１４は該ストロボトリガパルスの立ち上りに同期して予備発光及び測光を行い(ｔ１１)、ストロボ測光値Ｄ２（ｎ）を算出する。次いで、該予備発光により得られた画像データに基づいて被写体からの反射光量、すなわち輝度差ΔＥを算出し、該輝度差ΔＥに基づいて本発光の発光時間を決定する。
【００７２】
次に再度絞りを制御し(ｔ１２)、本露光を開始すると共に、システム制御部１８の制御によりストロボ発光部１４にはストロボトリガパルスが送られ、該ストロボトリガパルスの立ち上りに同期してストロボ発光部１５は本発光を開始する(t１３)。次いで、所定期間が経過した時点で発光を停止し(ｔ１４)、本露光処理を終了する。
【００７３】
このように本実施の形態では、測距枠の測距ポイントに基づいて算出された第１の重み付け値Ｗ１と予備発光の前後における測光結果に基づいて算出された第２の重み付け値Ｗ２とに基づいて輝度差ΔＥＶを算出し、該輝度差ΔＥＶに基づいて発光時間を決定しているので、より精度の高い主被写体の調光が可能となる。
【００７４】
図１１はストロボシーケンスの第２の実施の形態を示すフローチャートであって、該第２の実施の形態では、測距ポイントの測距枠とストロボ反射光が最大となる反射光量ポイントの測距枠とが一致しない場合は、輝度差ΔＥＶに対し測距ポイントからの重み付け値の割合が大きくなるようにしている。
【００７５】
すなわち、ステップＳ４１〜ステップＳ４７では、上記第１の実施の形態のステップＳ２１〜ステップＳ２７と同様の処理を実行し、続くステップＳ４８（平均値算出手段）では各々測距枠Ａ、Ｂ、Ｃ（図５（ａ））の測光値を比較する。すなわち、各々測距枠Ａ、Ｂ、Ｃにおける第２の重み付け値Ｗ２（ｎ）の平均値Ｗ２ave（ｎ）を算出し、これら平均値Ｗ２ave（ｎ）の大小比較を行う。そして、ステップＳ５０では平均値Ｗ２ave（ｎ）の最大となる測距枠がステップＳ９で得られた測距情報の測距ポイントと一致するか否かを判断する。そして、その答が肯定（Ｙｅｓ）の場合は後記数式（８）で使用する第１の修正係数ｘと第２の修正係数ｙとの比をｘ：ｙ＝１：１に設定し、その答が否定（Ｎｏ）の場合は第１の修正係数ｘと第２の修正係数ｙとの比をｘ：ｙ＝７：３に設定してステップＳ５３に進む。
【００７６】
すなわち、測距ポイントの測距枠と反射光量ポイントの測距枠とが一致するかを判定し、一致した場合は双方の重み付け割合を等しくし、異なる場合は測距ポイントからの重み付けの割合を大きくする。
【００７７】
具体的には、例えばステップＳ９での測距の結果、測距ポイントが測距枠Ａの場合、ステップＳ４８での測距枠間の大小比較の結果、Ａ＞Ｂ且つＡ＞Ｃとなった場合は測距枠と反射光量ポイントの測距枠とが一致すると判断し、ｘ：ｙ＝１：１として第１の重み付け値Ｗ１（ｎ）と第２の重み付け値Ｗ２（ｎ）の割合を等しくする。
【００７８】
また、例えば、白壁をバックに人物を撮影した場合、ストロボの反射光は人物よりもバックの白壁からの方が多くなるため、数式（４）で算出された第２の重み付け値Ｗ２（ｎ）をそのまま使用すると白壁の影響をうけアンダー側に調光されてしまう。一方、測距ポイントは人物の位置と一致しているので、測距ポイントからの第１の重み付け値Ｗ１（ｎ）の割合を大きくし、第２の重み付け値Ｗ２（ｎ）の割合を小さくするとバックの白壁の影響が少なくなり結果として適度な調光レベルが得られる。
【００７９】
そこで、本第２の実施の形態では測距ポイントの測距枠とストロボの反射光が一番多く返ってきた反射光量ポイントの測距枠とが一致しないと場合は、第１の修正係数ｘと第２の修正係数ｙとの比をｘ：ｙ＝７：３に設定した。
【００８０】
尚、測距ポイントの測距枠と反射光量ポイントの測距枠とが一致しないと判断した場合、第１の修正係数ｘと第２の修正係数ｙとの比を常時７:３に固定する必要はなく、撮影モードによって切換可能としてもよい。例えば、ポートレートモードの時などはｘ：ｙ＝８：２としたり、マクロモードの時は調光オーバを回避するために逆にｘ：ｙ＝２：８として第２の修正係数ｙの比率を大きくしてもよい。
【００８１】
次いで、ステップＳ５３では上記第１の実施の形態のステップＳ２８と同様にして本露光時の露光条件（絞りＡＶ、ゲインＧｎ、及びシャッタスピードＴＶ）を算出し、続くステップＳ５４では輝度差ΔＥＶを算出する。
【００８２】
すなわち、第１の実施の形態と同様、数式（７）に基づいて測距枠輝度差ΔＥＶｎを算出した後、下記数式（９）に基づいて輝度差ΔＥＶを算出する。
【００８３】
【数３】
0004416272.tif 000004
そしてこの後、上記第１の実施の形態のステップＳ３０〜ステップＳ３８と同様、ステップＳ５５〜ステップＳ６３を実行し、メインルーチン（図２）に戻る。
【００８４】
このように本第２の実施の形態によれば、測距ポイントの測距枠と反射光量ポイントの測距枠とがー致しない場合は、その状況に応じた重み付けの値とすることで的確な測光結果を得ることができ、これにより本発光の発光レベルの精度も高まり本露光時の調光を正確に行うことが可能となる。
【００８５】
【発明の効果】
以上詳述したように本発明によれば、測距手段から求めた測距ポイントに応じた第１の重み付け値と予備発光に際しその前後で行なう測光結果に基づいて算出された第２の重み付け値を使用して本発光の発光条件を算出しているので、高精度な主被写体の調光が可能となる。
【００８６】
さらに、本発明によれば、測距ポイントの測距領域と反射光量ポイントの測距領域とがー致しない場合であっても、その状況に応じた重み付けの値とすることで的確な測光結果を得ることができるので、本発光の発光条件の精度がより一層高まり本露光時の調光を正確に行うことが可能となる。
【図面の簡単な説明】
【図１】本発明に係る撮像装置の一実施の形態を示すブロック構成図である。
【図２】本発明の撮影装置の制御手順を示すフローチャートである。
【図３】ストロボシーケンスの第１の実施の形態を示すフローチャートである。
【図４】露光条件設定マップである。
【図５】測光枠及び測距枠の一例を示す図である。
【図６】測距ポイントに応じた重み付けパターンを示すパターン図（１／２）である。
【図７】測距ポイントに応じた重み付けパターンを示すパターン図（２／２）である。
【図８】第１の補正値設定テーブルである。
【図９】発光時間設定テーブルである。
【図１０】本発明に係る撮像装置の制御タイミングを示すタイミングチャートである。
【図１１】ストロボシーケンスの第２の実施の形態を示すフローチャートである。
【符号の説明】
１４  ストロボ発光部
１８  システム制御部
【図１】
0004416272.tif 000005
【図２】
0004416272.tif 000006
【図３】
0004416272.tif 000007
【図４】
0004416272.tif 000008
【図５】
0004416272.tif 000009
【図７】
0004416272.tif 000010
【図８】
0004416272.tif 000011
【図９】
0004416272.tif 000012
【図１０】
0004416272.tif 000013
【図１１】
0004416272.tif 000014
【図６】
0004416272.tif 000015